(57)【要約】【課題】棚部を有し、上部が開放した折り畳み式の陳列具において、折り畳み状態から極めて簡単に組立てが可能で、かつ、折り畳み状態において、大きなスペースを必要としない陳列具を提供する。【解決手段】本体部１０が、折れ線Ｓ１、Ｓ２を有する背面部１２と、右側面部２０と、左側面部３０とを有し、棚部４０は、底部４１と、落止部４９と、背面板部５６とを有し、底部４１は、右側面部２０と左側面部３０に固着された下底板部４２と、下底板部に接着された上底板部５４とを有している。下底板部４２には、その側辺と背面側の辺部間に一対の折れ線が形成されている。背面板部５６に設けられた差込み片部は、本体部１０の背面部１２に設けられた差込み部に差し込まれる。【選択図】図１
0003158951.tif 000002
【実用新案登録請求の範囲】
【請求項１】
被陳列物を陳列するための陳列具であって、
１枚のシート状のブランクにより形成された本体部と、本体部に対して固着され、１枚のシート状のブランクにより形成された１又は複数の棚部とを有し、
本体部が、互いに略平行な一対の上下方向の折れ線である第１折れ線と第２折れ線とを有し、棚部の差込み片部を差し込むための差込み部が第１折れ線と第２折れ線間の領域に設けられた背面部と、背面部の右側面側の辺部から連設された右側面部と、背面部の左側面部側の辺部から連設された左側面部とを有し、
棚部が、本体部の右側面部と左側面部とに固着され、右側面側の辺部と背面側の辺部間に形成された第３折れ線と左側面側の辺部と背面側の辺部間に形成された第４折れ線とを有する下底板部で、第３折れ線と第４折れ線の間の領域である中央板部と、中央板部から第３折れ線を介して連設された右板部と、中央板部から第４折れ線を介して連設された左板部とを有し、右板部が本体部の右側面部に固着され、左板部が本体部の左側面部に固着された下底板部と、下底板部の中央板部に固着された上底板部と、上底板部の背面側の辺部から折れ線を介して連設され、本体部の背面部に設けられた差込み部に差し込むための差込み片部を有する背面板部と、を有し、
本体部における右側面部と背面部の連設部分と左側面部と背面部の連設部分を互いに近づけて第１折れ線と第２折れ線とを外側から見て山折りとすることにより、棚部の下底板部における右板部と左板部とが中央板部に対して折曲して、棚部における中央板部が立設した状態となって陳列具が折り畳んだ状態となることを特徴とする陳列具。
【請求項２】
棚部の下底板部の右板部の右側面側の辺部から第２差込み片部が形成され、下底板部の左板部の左側面側の辺部から第３差込み片部が形成され、本体部の右側面部には、第２差込み片部を差し込むための第２差込み部が設けられ、本体部の左側面部には、第３差込み片部を差し込むための第３差込み部が設けられ、第２差込み片部を第２差込み部に差し込むことにより右板部が本体部の右側面部に固着され、第３差込み片部を第３差込み部に差し込むことにより左板部が本体部の左側面部に固着されていることを特徴とする請求項１に記載の陳列具。
【請求項３】
右側面部が、背面部の右側面側の辺部から連設された第１内側板状部で上記第２差込み部が形成された第１内側板状部と、第１内側板状部の背面部とは反対側の辺部から連設された第１外側板状部とを有し、第２差込み片部を第２差込み部に差し込んだ状態で、第１内側板状部と第１外側板状部とが接着され、また、左側面部が、背面部の左側面側の辺部から連設された第２内側板状部で上記第３差込み部が形成された第２内側板状部と、第２内側板状部の背面部とは反対側の辺部から連設された第２外側板状部とを有し、第３差込み片部を第３差込み部に差し込んだ状態で、第２内側板状部と第２外側板状部とが接着されていることを特徴とする請求項２に記載の陳列具。
【請求項４】
棚部が、下底板部の中央板部の正面側の辺部から折れ線を介して連設された帯状の落止部前板部と、落止部前板部の下底板部の中央板部側とは反対側の辺部から折れ線を介して連設された帯状の落止部後板部とを有し、上底板部が該落止部後板部に折れ線を介して連設されていることを特徴とする請求項１又は２又は３に記載の陳列具。
【請求項５】
被陳列物を陳列するための陳列具であって、
１枚のシート状のブランクにより形成された本体部と、本体部に対して固着され、１枚のシート状のブランクにより形成された１又は複数の棚部とを有し、
本体部が、互いに略平行な一対の上下方向の折れ線である第１折れ線と第２折れ線とを有し、棚部の差込み片部を差し込むための差込み部が第１折れ線と第２折れ線間の領域に設けられた背面部と、背面部の右側面側の辺部から連設された右側面部と、背面部の左側面部側の辺部から連設された左側面部とを有し、右側面部が、背面部の右側面側の辺部から連設された第１内側板状部で第２差込み部が形成された第１内側板状部と、第１内側板状部の背面部とは反対側の辺部から連設された第１外側板状部とを有し、また、左側面部が、背面部の左側面側の辺部から連設された第２内側板状部で第３差込み部が形成された第２内側板状部と、第２内側板状部の背面部とは反対側の辺部から連設された第２外側板状部とを有し、
棚部が、
第２差込み片部を介して本体部の右側面部に固着されるとともに第３差込み片部を介して本体部の左側面部に固着され、右側面側の辺部と背面側の辺部間に形成された第３折れ線と左側面側の辺部と背面側の辺部間に形成された第４折れ線とを有する下底板部で、第３折れ線と第４折れ線の間の領域である中央板部と、中央板部から第３折れ線を介して連設された右板部と、中央板部から第４折れ線を介して連設された左板部とを有する下底板部と、
下底板部の右板部の右側面側の辺部から折れ線を介して連設され、第２差込み部に差し込まれた第２差込み片部と、
下底板部の左板部の左側面側の辺部から折れ線を介して連設され、第３差込み部に差し込まれた第３差込み片部と、
下底板部の中央板部の正面側の辺部から折れ線を介して連設された帯状の落止部前板部と、
落止部前板部の下底板部の中央板部側とは反対側の辺部から折れ線を介して連設された帯状の落止部後板部と、
落止部後板部の落止部前板部側とは反対側の辺部から折れ線を介して連設され、下底板部の中央板部に固着された上底板部と、
上底板部の背面側の辺部から折れ線を介して連設され、本体部の背面部に設けられた差込み部に差し込むための差込み片部を有する背面板部と、を有し、
第２差込み片部を第２差込み部に差し込んだ状態で、第１内側板状部と第１外側板状部とが接着され、第３差込み片部を第３差込み部に差し込んだ状態で、第２内側板状部と第２外側板状部とが接着されることにより、棚部における下底板部が本体部の右側面部と左側面部とに固着され、
本体部における右側面部と背面部の連設部分と左側面部と背面部の連設部分を互いに近づけて第１折れ線と第２折れ線とを外側から見て山折りとすることにより、棚部の下底板部における右板部と左板部とが中央板部に対して折曲して、棚部における中央板部が立設した状態となって陳列具が折り畳んだ状態となることを特徴とする陳列具。
【考案の詳細な説明】
【技術分野】
【０００１】
本考案は、紙製の折り畳み式の陳列具に関するものである。
【背景技術】
【０００２】
従来において、上下方向に高さが異なる複数の棚部を有し、上部が開放した折り畳み式の陳列具としては、特許文献１に記載の組立式陳列台のように、底壁、一対の側壁及び後壁を備え、側壁を前下がりにしたトレーと、その内部にセットされる階段状の棚２とから成る陳列台において、前記トレーは、側壁と後壁とを斜折線を有する折込片で連結し、底壁から後壁を起立させると、両側壁が起立するものとし、前記棚は、各段天板を支持する前後の支持板を前倒状態から起立させ、トレーの後壁に係止して保形するものとしたものが存在する。
【先行技術文献】
【特許文献】
【０００３】
【特許文献１】特開２００４−１６５４０号公報
【考案の概要】
【考案が解決しようとする課題】
【０００４】
しかし、上記特許文献１に記載の陳列台においては、トレーについて、後壁を起立させることにより両側壁を起立させたのちに、棚の支持板を起立させ、差込片をトレーの後壁に設けられた差込穴に差し込んで粘着テープ等で固定するという作業が必要であり、折り畳み状態から極めて簡単に組み立てることができないという問題があった。また、特許文献１に記載の陳列台においては、折り畳んだ状態において大きく広がってしまい、保管や運搬に際して大きなスペースを要してしまうという問題があった。
【０００５】
そこで、本考案が解決しようとする問題点は、棚部を有し、上部が開放した折り畳み式の陳列具において、折り畳み状態から極めて簡単に組立てが可能で、かつ、折り畳み状態において、大きなスペースを必要としない陳列具を提供することである。
【課題を解決するための手段】
【０００６】
本考案は上記問題点を解決するために創作されたものであって、第１には、被陳列物を陳列するための陳列具であって、１枚のシート状のブランクにより形成された本体部と、本体部に対して固着され、１枚のシート状のブランクにより形成された１又は複数の棚部とを有し、本体部が、互いに略平行な一対の上下方向の折れ線である第１折れ線と第２折れ線とを有し、棚部の差込み片部を差し込むための差込み部が第１折れ線と第２折れ線間の領域に設けられた背面部と、背面部の右側面側の辺部から連設された右側面部と、背面部の左側面部側の辺部から連設された左側面部とを有し、棚部が、本体部の右側面部と左側面部とに固着され、右側面側の辺部と背面側の辺部間に形成された第３折れ線と左側面側の辺部と背面側の辺部間に形成された第４折れ線とを有する下底板部で、第３折れ線と第４折れ線の間の領域である中央板部と、中央板部から第３折れ線を介して連設された右板部と、中央板部から第４折れ線を介して連設された左板部とを有し、右板部が本体部の右側面部に固着され、左板部が本体部の左側面部に固着された下底板部と、下底板部の中央板部に固着された上底板部と、上底板部の背面側の辺部から折れ線を介して連設され、本体部の背面部に設けられた差込み部に差し込むための差込み片部を有する背面板部と、を有し、本体部における右側面部と背面部の連設部分と左側面部と背面部の連設部分を互いに近づけて第１折れ線と第２折れ線とを外側から見て山折りとすることにより、棚部の下底板部における右板部と左板部とが中央板部に対して折曲して、棚部における中央板部が立設した状態となって陳列具が折り畳んだ状態となることを特徴とする。
【０００７】
上記第１の構成の陳列具においては、陳列具を折り畳んだ状態とするには、棚部の背面板部の差込み片部を本体部の背面部の差込み部から外した状態で、右側面部と背面部の連設部分と左側面部と背面部の連設部分を内側に移動した状態とすることにより、右側面部と背面部の連設部分と左側面部と背面部の連設部分とが外側から見て谷折りとなり、第１折れ線と第２折れ線が外側から見て山折りとなり、右側面部と右板部と中央板部とが略平行となり、左側面部と左板部と中央板部とが略平行となって、折り畳んだ状態となる。
【０００８】
陳列具を折り畳んだ状態から組立て状態にするには、側面部と背面部の連設部分と左側面部と背面部の連設部分の間隔を広げるようにして、背面部を１枚の板状にする。つまり、中央板部と右板部と左板部とを全体に１枚の板状とする。その後、一方の棚部の差込み片部を本体部の背面部の差込み部に差し込むことにより、陳列具を組立て状態とすることができる。よって、折り畳み状態から極めて簡単に組立てが可能となる。また、陳列具の折り畳み状態では、棚部が立設した状態となり、右側面部と背面部の連設部分と左側面部と背面部の連設部分が内側に移動して、右側面部と右板部と中央板部とが略平行となり、左側面部と左板部と中央板部とが略平行となるので、折り畳み状態において、大きなスペースを必要しない。
【０００９】
また、第２には、上記第１の構成において、棚部の下底板部の右板部の右側面側の辺部から第２差込み片部が形成され、下底板部の左板部の左側面側の辺部から第３差込み片部が形成され、本体部の右側面部には、第２差込み片部を差し込むための第２差込み部が設けられ、本体部の左側面部には、第３差込み片部を差し込むための第３差込み部が設けられ、第２差込み片部を第２差込み部に差し込むことにより右板部が本体部の右側面部に固着され、第３差込み片部を第３差込み部に差し込むことにより左板部が本体部の左側面部に固着されていることを特徴とする。
【００１０】
また、第３には、上記第２の構成において、右側面部が、背面部の右側面側の辺部から連設された第１内側板状部で上記第２差込み部が形成された第１内側板状部と、第１内側板状部の背面部とは反対側の辺部から連設された第１外側板状部とを有し、第２差込み片部を第２差込み部に差し込んだ状態で、第１内側板状部と第１外側板状部とが接着され、また、左側面部が、背面部の左側面側の辺部から連設された第２内側板状部で上記第３差込み部が形成された第２内側板状部と、第２内側板状部の背面部とは反対側の辺部から連設された第２外側板状部とを有し、第３差込み片部を第３差込み部に差し込んだ状態で、第２内側板状部と第２外側板状部とが接着されていることを特徴とする。
【００１１】
また、第４には、前記第１から第３までのいずれかの構成において、棚部が、下底板部の中央板部の正面側の辺部から折れ線を介して連設された帯状の落止部前板部と、落止部前板部の下底板部の中央板部側とは反対側の辺部から折れ線を介して連設された帯状の落止部後板部とを有し、上底板部が該落止部後板部に折れ線を介して連設されていることを特徴とする。よって、落止部前板部と落止部後板部とにより落止部を形成して、棚部に載置された被陳列物が正面側に落下しないようにすることができる。
【００１２】
また、第５には、被陳列物を陳列するための陳列具であって、１枚のシート状のブランクにより形成された本体部と、本体部に対して固着され、１枚のシート状のブランクにより形成された１又は複数の棚部とを有し、本体部が、互いに略平行な一対の上下方向の折れ線である第１折れ線と第２折れ線とを有し、棚部の差込み片部を差し込むための差込み部が第１折れ線と第２折れ線間の領域に設けられた背面部と、背面部の右側面側の辺部から連設された右側面部と、背面部の左側面部側の辺部から連設された左側面部とを有し、右側面部が、背面部の右側面側の辺部から連設された第１内側板状部で第２差込み部が形成された第１内側板状部と、第１内側板状部の背面部とは反対側の辺部から連設された第１外側板状部とを有し、また、左側面部が、背面部の左側面側の辺部から連設された第２内側板状部で第３差込み部が形成された第２内側板状部と、第２内側板状部の背面部とは反対側の辺部から連設された第２外側板状部とを有し、棚部が、第２差込み片部を介して本体部の右側面部に固着されるとともに第３差込み片部を介して本体部の左側面部に固着され、右側面側の辺部と背面側の辺部間に形成された第３折れ線と左側面側の辺部と背面側の辺部間に形成された第４折れ線とを有する下底板部で、第３折れ線と第４折れ線の間の領域である中央板部と、中央板部から第３折れ線を介して連設された右板部と、中央板部から第４折れ線を介して連設された左板部とを有する下底板部と、下底板部の右板部の右側面側の辺部から折れ線を介して連設され、第２差込み部に差し込まれた第２差込み片部と、下底板部の左板部の左側面側の辺部から折れ線を介して連設され、第３差込み部に差し込まれた第３差込み片部と、下底板部の中央板部の正面側の辺部から折れ線を介して連設された帯状の落止部前板部と、落止部前板部の下底板部の中央板部側とは反対側の辺部から折れ線を介して連設された帯状の落止部後板部と、落止部後板部の落止部前板部側とは反対側の辺部から折れ線を介して連設され、下底板部の中央板部に固着された上底板部と、上底板部の背面側の辺部から折れ線を介して連設され、本体部の背面部に設けられた差込み部に差し込むための差込み片部を有する背面板部と、を有し、第２差込み片部を第２差込み部に差し込んだ状態で、第１内側板状部と第１外側板状部とが接着され、第３差込み片部を第３差込み部に差し込んだ状態で、第２内側板状部と第２外側板状部とが接着されることにより、棚部における下底板部が本体部の右側面部と左側面部とに固着され、本体部における右側面部と背面部の連設部分と左側面部と背面部の連設部分を互いに近づけて第１折れ線と第２折れ線とを外側から見て山折りとすることにより、棚部の下底板部における右板部と左板部とが中央板部に対して折曲して、棚部における中央板部が立設した状態となって陳列具が折り畳んだ状態となることを特徴とする。
【００１３】
上記第５の構成の陳列具においては、陳列具を折り畳んだ状態とするには、棚部の背面板部の差込み片部を本体部の背面部の差込み部から外した状態で、右側面部と背面部の連設部分と左側面部と背面部の連設部分を内側に移動した状態とすることにより、右側面部と背面部の連設部分と左側面部と背面部の連設部分とが外側から見て谷折りとなり、第１折れ線と第２折れ線が外側から見て山折りとなり、右側面部と右板部と中央板部とが略平行となり、左側面部と左板部と中央板部とが略平行となって、折り畳んだ状態となる。
【００１４】
陳列具を折り畳んだ状態から組立て状態にするには、側面部と背面部の連設部分と左側面部と背面部の連設部分の間隔を広げるようにして、背面部を１枚の板状にする。つまり、中央板部と右板部と左板部とを全体に１枚の板状とする。その後、一方の棚部の差込み片部を本体部の背面部の差込み部に差し込むことにより、陳列具を組立て状態とすることができる。よって、折り畳み状態から極めて簡単に組立てが可能となる。また、陳列具の折り畳み状態では、棚部が立設した状態となり、右側面部と背面部の連設部分と左側面部と背面部の連設部分が内側に移動して、右側面部と右板部と中央板部とが略平行となり、左側面部と左板部と中央板部とが略平行となるので、折り畳み状態において、大きなスペースを必要しない。また、落止部前板部と落止部後板部とにより落止部を形成して、棚部に載置された被陳列物が正面側に落下しないようにすることができる。
【考案の効果】
【００１５】
本考案に基づく陳列具によれば、陳列具を折り畳んだ状態から組立て状態にするには、側面部と背面部の連設部分と左側面部と背面部の連設部分の間隔を広げるようにして、背面部を１枚の板状にする。つまり、中央板部と右板部と左板部とを全体に１枚の板状とする。その後、一方の棚部の差込み片部を本体部の背面部の差込み部に差し込むことにより、陳列具を組立て状態とすることができる。よって、折り畳み状態から極めて簡単に組立てが可能となる。また、陳列具の折り畳み状態では、棚部が立設した状態となり、右側面部と背面部の連設部分と左側面部と背面部の連設部分が内側に移動して、右側面部と右板部と中央板部とが略平行となり、左側面部と左板部と中央板部とが略平行となるので、折り畳み状態において、大きなスペースを必要しない。
【図面の簡単な説明】
【００１６】
【図１】陳列具本体の前方斜視図である。
【図２】陳列具本体の後方斜視図である。
【図３】本体部の展開図である。
【図４】棚部の展開図である。
【図５】表示部の展開図である。
【図６】陳列具の前方斜視図である。
【図７】折り畳んだ状態の陳列具本体の前方斜視図である。
【図８】折り畳んだ状態の陳列具本体の後方斜視図である。
【考案を実施するための形態】
【００１７】
本考案においては、棚部を有し、上部が開放した折り畳み式の陳列具において、折り畳み状態から極めて簡単に組立てが可能で、かつ、折り畳み状態において、大きなスペースを必要としない陳列具を提供するという目的を以下のようにして実現した。
【００１８】
本考案の実施例に基づく陳列具１は、折り畳み式の陳列具であり、図１〜図６に示すように構成され、陳列具本体５と表示部７０とを有し、陳列具本体５は、本体部１０と、複数（具体的には、２つ）の棚部４０とを有している。
【００１９】
本体部１０は、図１、図２に示すように、背面部１２と、背面部１２の右側面側の端部から正面側に連設された右側面部２０と、背面部１２の左側面側の端部から正面側に連設された左側面部３０とを有している。本体部１０は、１枚のシート状のブランク（具体的には、段ボール材（好適には、薄型段ボール材）又は厚紙）により形成されている。
【００２０】
ここで、本体部１０の詳細を展開図である図３を主として使用して説明すると、背面部１２は、全体に略方形状の板状を呈し、上下方向に一対の折れ線Ｓ１と折れ線Ｓ２が間隔を介して互いに略平行に設けられている。折れ線Ｓ１と折れ線Ｓ２は、その一方が第１折れ線に当たり、他方が第２折れ線に当たる。すなわち、折れ線Ｓ１は、背面部１２の右側面側の辺部から長さＬ１を介して背面部１２の右側面側の辺部と略平行に形成され、また、折れ線Ｓ２は、背面部１２の左側面側の辺部から長さＬ２を介して背面部１２の左側面側の辺部と略平行に形成されていて、長さＬ１と長さＬ２とは略同一となっている。この折れ線Ｓ１、Ｓ２は、陳列具本体５を折り畳んだ状態では、外側から見て谷折り線となる。背面部１２は、折れ線Ｓ１、Ｓ２により３つの領域に区画され、中央に位置する中央板部１４と、中央板部１４から折れ線Ｓ１を介して連設された右板部１６と、中央板部１４から折れ線Ｓ２を介して連設された左板部１８とを有した構成となっている。なお、中央板部１４の横方向の長さＬ３は、長さＬ１や長さＬ２よりも大きく形成されている。
【００２１】
この中央板部１４には、上側と下側に間隔を介して横方向に形成された差込み部Ｋ１、Ｋ２が形成されている。つまり、差込み部Ｋ１、Ｋ２は、細長帯状（細長長方形状としてもよい）の開口部であり、背面部１２の上辺や下辺と略平行に形成されている。この差込み部Ｋ１、Ｋ２には、陳列具本体５を製造する際に、棚部４０における差込み片部５６ｂが差し込まれるものである。差込み部Ｋ１と差込み部Ｋ２とは同じ長さに形成されている。
【００２２】
また、右側面部２０は、図３に示すように、背面部１２の右側面側の辺部から折れ線Ｓ３を介して連設され、四角形状を呈した内側板状部２２（第１内側板状部）と、内側板状部２２の背面部１２と反対側の辺部から折れ線Ｓ４を介して連設された四角形状の外側板状部２４（第１外側板状部）と、外側板状部２４の上辺から折れ線Ｓ５を介して連設され略台形形状を呈する折返し板状部２６とを有している。
【００２３】
すなわち、内側板状部２２は、上方にいくに従いやや先細りで、その上辺は背面部１２側から正面側に向けて下方に傾斜した形状（つまり、前下がりの形状）を呈している。すなわち、折れ線Ｓ４が折れ線Ｓ３に対して略平行であるが、上方にいくに従い折れ線Ｓ３との間隔が小さくなるように形成されている。また、折れ線Ｓ４の長さは折れ線Ｓ３の長さよりも短く形成され、内側板状部２２の上端は前下がりの状態となっている。この内側板状部２２には、上側と下側に背面部１２側から外側板状部２４側に向けて下方に傾斜した差込み部Ｋ３、Ｋ４が形成されている。この差込み部Ｋ３、Ｋ４には、棚部４０における差込み片部６０が差し込まれる。差込み部Ｋ３と差込み部Ｋ４とは同じ長さに形成されている。差込み部Ｋ３、Ｋ４は、第２差込み部に当たる。
【００２４】
また、外側板状部２４は、内側板状部２２に対して折れ線Ｓ４を介して線対称の外形を呈している。すなわち、外側板状部２４の折れ線Ｓ４と反対側の辺部は、折れ線Ｓ４と略平行であるが、上方にいくほど折れ線Ｓ４との間隔が小さくなるように形成されている。また、外側板状部２４の上辺は、折れ線Ｓ４側から折れ線Ｓ４の反対側の辺部に向けて上方に傾斜した形状を呈し、折れ線Ｓ４と反対側の辺部の長さは折れ線Ｓ４の長さよりも長く形成されている。
【００２５】
また、折返し板状部２６は、折れ線Ｓ５側から先端に向けて幅狭となる略台形形状を呈している。
【００２６】
また、左側面部３０は、右側面部２０と対称に形成され、背面部１２の左側面側の辺部から折れ線Ｓ６を介して連設され、四角形状を呈した内側板状部３２（第２内側板状部）と、内側板状部３２の背面部１２と反対側の辺部から折れ線Ｓ７を介して連設された四角形状の外側板状部３４（第２外側板状部）と、外側板状部３４の上辺から折れ線Ｓ８を介して連設され略台形形状を呈する折返し板状部３６とを有している。
【００２７】
ここで、内側板状部３２は、内側板状部２２と対称（図３の展開状態では線対称）である以外は同一の構成であるので、詳しい説明を省略する。なお、内側板状部３２には、差込みＫ３と対応する差込み部Ｋ５が形成され、差込み部Ｋ４と対応する差込み部Ｋ６が形成されている。差込み部Ｋ５、Ｋ６は、第３差込み部に当たる。
【００２８】
また、外側板状部３４は、外側板状部２４と対称（図３の展開状態では線対称）である以外は同一の構成であり、また、折返し板状部３６は、折返し板状部２６と対称（図３の展開状態では線対称）である以外は同一の構成であるので、詳しい説明を省略する。
【００２９】
陳列具本体５においては、外側板状部２４の内側の面（展開状態における裏側の面）が内側板状部２２の内側の面（展開状態における裏側の面）に接着され、折返し板状部２６の内側の面（展開状態における裏側の面）が内側板状部２２の外側の面（展開状態における表側の面）に接着される。同様に、外側板状部３４の内側の面（展開状態における裏側の面）が内側板状部３２の内側の面（展開状態における裏側の面）に接着され、折返し板状部３６の内側の面（展開状態における裏側の面）が内側板状部３２の外側の面（展開状態における表側の面）に接着される。
【００３０】
また、棚部４０は、底部４１と、底部４１の正面側に設けられた落止部４９と、底部４１を構成する上底板部５４の背面側に設けられた背面板部５６と、底部４１を構成する下底板部４２の両側から連設された差込み片部６０、６２を有している。棚部４０は、１枚のシート状のブランク（具体的には、段ボール材（好適には、薄型段ボール材）又は厚紙）により形成されている。
【００３１】
ここで、棚部４０の詳細を展開図である図４を主として使用して説明すると、棚部４０は、下底板部４２と、落止部前板部５０と、落止部後板部５２と、上底板部５４と、背面板部５６と、差込み片部６０、６２とを有しており、下底板部４２と上底板部５４とで底部４１が形成され、落止部前板部５０と落止部後板部５２とで落止部４９が形成される。
【００３２】
ここで、下底板部４２は、背面側（落止部前板部５０とは反対側）に台形形状の切欠部Ｋ１１を有する略方形状（具体的には、略長方形状）を呈し、その側辺と背面側の辺部間に折れ線Ｓ１１、Ｓ１２が形成され、折れ線Ｓ１１と折れ線Ｓ１２間の領域である中央板部４４と、中央板部４４から折れ線Ｓ１１を介して連設された略三角形状（略直角三角形状）の右板部４６と、中央板部４２から折れ線Ｓ１２を介して連設された略三角形状（略直角三角形状）の左板部４８とを有した構成となっている。折れ線Ｓ１１、Ｓ１２の背面側の端部は、下底板部４２の切欠部Ｋ１１の領域以外の辺部に接している。折れ線Ｓ１１（第３折れ線）は、下底板部４２の右側面側の辺部と背面側の辺部間に形成され、折れ線Ｓ１２（第４折れ線）は、下底板部４２の左側面側の辺部と背面側の辺部間に形成されていて、折れ線Ｓ１１と折れ線Ｓ１２とは、下底板部４２と落止部前板部５０間の折れ線に対して傾斜して鋭角に形成され、折れ線Ｓ１１と折れ線Ｓ１２とは対称（線対称）となっている。
【００３３】
また、差込み片部６０（第２差込み片部）は略台形形状を呈し、右板部４６の右側面側の辺部から折れ線を介して連設され、また、差込み片部６２（第３差込み片部）は略台形形状を呈し、左板部４８の左側面側の辺部から折れ線を介して連設されている。
【００３４】
また、落止部前板部５０は、下底板部４２の正面側の辺部から折れ線を介して連設され、横長長方形状（帯状としてもよい）を呈している。
【００３５】
また、落止部後板部５２は、落止部前板部５０の下底板部４２とは反対側の辺部から折れ線を介して連設され、横長長方形状（帯状としてもよい）に２つの凹部（切込みＫ１２、Ｋ１３により形成された凹部）を形成した形状となっている。切込みＫ１２、Ｋ１３は略コ字状を呈し、厳密には、略コ字状の角部を斜めに面取りした形状となっている。切込みＫ１２、Ｋ１３の端部は、落止部後板部５２と上底板部５４間の折れ線と連設している。
【００３６】
また、上底板部５４は、落止部後板部５２の落止部前板部５０側とは反対側の辺部から折れ線を介して連設され、横長長方形状と略台形形状とを合わせた形状の上底板部本体部５４ａと、上底板部本体部５４ａの落止部後板部５２側の辺部から連設された一対の凸状部５４ｂとを有している。上底板部本体部５４ａは、落止部後板部５２側が横長長方形状に形成され、背面板部５６側が略台形形状（つまり、背面板部５６側に凹部（切込みＫ１４により形成された凹部）が形成された台形形状）に形成されている。この切込みＫ１４は、略コ字状を呈している。切込みＫ１４の端部は、上底板部５４と背面板部本体５６ａ間の折れ線と連設している。この凸状部５４ｂは、棚部４０の組立て状態において、落止部前板部５０の下端と落止部後板部５２の下端とが間隔を介した状態となり、落止部前板部５０と落止部後板部５２とが側面視において鋭角をなすように形成されている。
【００３７】
背面板部５６は、上底板部５４の落止部後板部５２側とは反対側の辺部から折れ線を介して連設され、背面板部本体５６ａと、背面板部本体５６ａから突出した差込み片部５６ｂとを有している。
【００３８】
背面板部本体５６ａは、上底板部５４から折れ線を介して連設され、横長長方形状（帯状としてもよい）を呈している。
【００３９】
また、差込み片部５６ｂは、背面板部本体５６ａの先端側（上底板部５４とは反対側）とは反対側から連設され、凸状を呈している。この差込み片部５６ｂの横方向の長さは、差込み部Ｋ１、Ｋ２に差込み可能な長さに形成されている。
【００４０】
棚部４０の状態においては、下底板部４２の中央板部４４の上側の面が上底板部５４の下側の面に接着され、下底板部４２と上底板部５４とが接着された状態では、凸状部５４ｂの先端が落止部前板部５０の内側の面に当接した状態となっている。
【００４１】
また、陳列具本体５の状態においては、棚部４０は差込み片部６０、６２を介して本体部１０に取り付けられ、具体的には、１つの棚部４０において、差込み片部６０が差込み部Ｋ３に挿通されて下底板部４２に対して山折り又は谷折りに折曲されて内側板状部２２又は外側板状部２４に接着され、同様に、差込み片部６２が差込み部Ｋ５に挿通されて下底板部４２に対して山折り又は谷折りに折曲されて内側板状部３２又は外側板状部３４に接着される。また、他の棚部４０においては、差込み片部６０が差込み部Ｋ４に挿通されて下底板部４２に対して山折り又は谷折りに折曲されて内側板状部２２又は外側板状部２４に接着され、同様に、差込み片部６２が差込み部Ｋ６に挿通されて下底板部４２に対して山折り又は谷折りに折曲されて内側板状部３２又は外側板状部３４に接着される。
【００４２】
また、表示部７０は、本体部１０の背面部１２に挿脱するポップとして機能し、陳列具１の状態では、図６に示すように、表示部７０は本体部１０の背面部１２に装着される。表示部７０は、表示部本体７２と、表示部本体７２の両側の辺部から連設された折返し板状部７６、７８とを有している。表示部７０は、１枚のシート状のブランク（具体的には、段ボール材（好適には、薄型段ボール材）又は厚紙）により形成されている。
【００４３】
ここで、表示部本体７２は、略方形状を呈し、下辺側に一対の切込み部Ｋ２１、Ｋ２２が設けられ、切込み部Ｋ２１と切込み部Ｋ２２間に凸状部７４が形成されている。この凸状部７４の下端は、切欠部Ｋ２１、Ｋ２２の外側の下辺よりも下方に突出している。また、折返し板状部７６は、表示部本体７２の右側面側の辺部から折れ線を介して連設され、方形状を呈し、その上下方向の幅は、表示部本体７２の右側面側の辺部の長さと略同一となっている。また、折返し板状部７８は、表示部本体７２の左側面側の辺部から折れ線を介して連設され、方形状を呈し、その上下方向の幅は、表示部本体７２の左側面側の辺部の長さと略同一となっている。
【００４４】
折返し板部７６、７８は、表示部本体７２との間の折れ線を介して折り返して表示部本体７２に接着することにより、表示部本体７２に固着されている。
【００４５】
陳列具本体５の製造方法、特に、本体部１０と棚部４０の固着方法について説明する。まず、展開状態の本体部１０と、棚部４０と、表示部７０を製造する。なお、陳列具本体５には、２つの棚部４０が設けられるので、２つの棚部４０を製造しておく。
【００４６】
次に、棚部４０において、下底板部４２の中央板部４４の上側の面に接着剤を塗布し、落止部前板部５０を下底板部４２に対して折曲して立設させ、落止部後板部５２を落止部前板部５０に対して折曲して落止部後板部５２を落止部前板部５０の背面側に位置させ、凸状部５４ｂが落止部後板部５２の背面側の面に当接した状態で、上底板部５４の上底板部本体部５４ａを中央板部４４に接着する。以上のようにして、棚部４０を組み立てる。なお、本体部１０には２つの棚部４０が取り付けられるので、２つの棚部４０を上記のように組み立てる。
【００４７】
その後、本体部１０の外側板状部２４と折返し板状部２６と外側板状部３４と折返し板状部３６の裏面に接着剤を塗布し、棚部４０の差込み片部６０、６２を差込み部Ｋ３〜Ｋ６に差し込む。つまり、一方の棚部４０については、差込み片部６０を差込み部Ｋ３に差し込み、差込み片部６２を差込み部Ｋ５に差し込む。また、他方の棚部４０については、差込み片部６０を差込み部Ｋ４に差し込み、差込み片部６２を差込み部Ｋ６に差し込む。なお、外側板状部２４、３４の裏面の代わりに、内側板状部２２、３２の裏面に接着剤を塗布してもよい。
【００４８】
その後、各棚部４０において、差込み片部６０、６２を下底板部４２に対して下方に折曲し（上方に折曲してもよい）、差込み片部６０、６２を挟んだ状態で、内側板状部２２と外側板状部２４とを接着し、内側板状部３２と外側板状部３４とを接着する。これにより、差込み片部６０は、外側板状部２４の内側の面に接着し、差込み片部６２は、外側板状部３４の内側の面に接着する。次に、折返し板状部２６を外側板状部２４に対して折り返して、内側板状部２２に接着させ、また、折返し板状部３６を外側板状部３４に対して折り返して、内側板状部３２に接着させる。以上のようにして、棚部４０が本体部１０に固着される。
【００４９】
また、背面部１２を全体に板状とし、右側面部２０と左側面部３０とを背面部１２に対して略直角にした状態で、一方の棚部４０の差込み片部５６ｂを差込み部Ｋ１に差し込むとともに、他方の棚部４０の差込み片部５６ｂを差込み部Ｋ２に差し込むことにより、図１、図２に示す組立て状態の陳列具本体５が製造される。
【００５０】
また、表示部７０については、展開状態の表示部７０を製造し、折返し板状部７６、７８を表示部本体７２との折れ線を介して表示部本体７２に対して折り返して、接着することにより製造する。
【００５１】
上記構成の陳列具１の使用方法について説明する。まず、組立て状態の陳列具本体５（図１、図２）を保管又は運搬する場合には、陳列具本体５を折り畳んだ状態とする。陳列具本体５を折り畳んだ状態とするには、差込み部Ｋ１、Ｋ２に差し込まれている差込み片部５６ｂを差込み部Ｋ１、Ｋ２から外し（つまり、引き出し）、その後、右側面部２０と背面部１２の連設部分と左側面部３０と背面部１２の連設部分とを互いに近づけるようにする。すると、本体部１０における折れ線Ｓ３、Ｓ６が外側から見て谷折りとなり、折れ線Ｓ１、Ｓ２が外側から見て山折りとなり、図８に示すように、右側面部２０と背面部１２の連設部分と左側面部３０と背面部１２の連設部分が内側に移動した状態となり、右側面部２０と右板部１６と中央板部１４とが略平行となり、左側面部３０と左板部１８と中央板部１４とが略平行となって、折り畳んだ状態となる。図７、図８のように折り畳んだ状態においては、棚部４０における下底板部４２は、折れ線Ｓ１１、Ｓ１２を介して折曲され、中央板部４４と右板部４６とは略平行となり、中央板部４４と左板部４８とは略平行となり、中央板部４４は上下方向に立設した状態となる。つまり、棚部４０は上下方向に立設した状態となる。また、下側の棚部４０の背面板部５６は、上側の棚部４０の下底板部４２の裏面に接した状態となる。
【００５２】
上記のように陳列具本体５を折り畳んだ状態から組立て状態にするには、上記と逆の操作をする。つまり、側面部２０と背面部１２の連設部分と左側面部３０と背面部１２の連設部分の間隔を広げるようにして、背面部１２を１枚の板状にする。つまり、中央板部１４と右板部１６と左板部１８とを全体に１枚の板状とする。その後、一方の棚部４０の差込み片部５６ｂを差込み部Ｋ１に差し込み、他方の棚部４０の差込み片部５６ｂを差込み部Ｋ２に差し込むことにより、陳列具本体５を組立て状態とすることができる。
【００５３】
陳列具本体５を組立て状態としたら、図６に示すように、表示部７０を本体部１０の背面部１２に差し込んで装着する。つまり、表示部７０の切欠部Ｋ２１、Ｋ２２に背面部１２の上端部分を差し込むことにより、表示部７０を本体部１０に装着する。以上のようにして、陳列具１の組立てが完了する。
【００５４】
組立て状態の陳列具１においては、棚部４０の底部４１の上面に商品等の被陳列物を配置して被陳列物を陳列する。組立て状態の陳列具本体５においては、棚部４０の底部４１が背面側から正面側に向けて下方に傾斜した状態となっているが、落止部４９が設けられているので、被陳列物が棚部４０から落下することがない。また、底部４１が背面側から正面側に向けて下方に傾斜しているので、被陳列物は正面側にスライドして常に底部４１における正面側に被陳列物が配置されることになる。
【００５５】
上記のように、本実施例の陳列具１においては、陳列具本体５を折り畳み状態から組立て状態にするには、右側面部２０の背面側と左側面部３０の背面側の間隔を広げるようにして、背面部１２を１枚の板状にし、差込み片部５６ｂを差込み部Ｋ１、Ｋ２に差し込めばよいので、折り畳み状態から極めて簡単に組立てが可能となる。また、陳列具本体５の折り畳み状態では、棚部４０が立設した状態となり、右側面部２０と背面部１２の連設部分と左側面部３０と背面部１２の連設部分が内側に移動して、右側面部２０と右板部１６と中央板部１４とが略平行となり、左側面部３０と左板部１８と中央板部１４とが略平行となるので、折り畳み状態において、大きなスペースを必要としない。
【符号の説明】
【００５６】
１  陳列具
５  陳列具本体
１０  本体部
１２  背面部
１４、４４  中央板部
１６、４６  右板部
１８、４８  左板部
２０  右側面部
２２、３２  内側板状部
２４、３４  外側板状部
２６、３６  折返し板状部
３０  左側面部
４０  棚部
４１  底部
４２  下底板部
４９  落止部
５０  落止部前板部
５２  落止部後板部
５４  上底板部
５４ａ  上底板部本体部
５４ｂ、７４  凸状部
５６  背面板部
５６ｂ、６０、６２  差込み片部
７０  表示部
【図１】
0003158951.tif 000003
【図２】
0003158951.tif 000004
【図３】
0003158951.tif 000005
【図４】
0003158951.tif 000006
【図５】
0003158951.tif 000007
【図６】
0003158951.tif 000008
【図７】
0003158951.tif 000009
【図８】
0003158951.tif 000010